(57)【特許請求の範囲】
【請求項１】
レンズを含む撮像ユニットと、制御ユニットと、を含む伸縮式デジタルカメラであって、
前記デジタルカメラは、さらに、一端が前記制御ユニット内に作動自在に設置され、他端が前記撮像ユニットと回動自在に連結されている伸縮棒を含むこと、
前記制御ユニットは制御柄部及び表示器を含み、前記表示器と前記制御柄部は回動自在に連結されていること、
前記伸縮棒は、若干の棒部材を含み、且つ、頂端棒部材が前記撮像ユニットと回動自在に連結され、底端棒部材が前記制御柄部内に作動自在に設置されていること、
前記頂端棒部材の長さが前記制御柄部の長さより若干大きく、その他の棒部材の長さが前記制御柄部の長さに適応している
ことを特徴とするデジタルカメラ。
【請求項２】
請求項１に記載のデジタルカメラであって、
前記制御柄部に球継手が設けられ、前記表示器は前記球継手の回動を通じて前記制御柄部と連結されている
ことを特徴とするデジタルカメラ。
【請求項３】
請求項２に記載のデジタルカメラであって、
前記制御柄部に若干の機能ボタンが設けられ、前記機能ボタンに少なくとも電源ボタン、シャッターボタン、ズームボタン及び機能メニューボタンが含まれている
ことを特徴とするデジタルカメラ。
【請求項４】
請求項３に記載のデジタルカメラであって、
前記制御柄部にメモリカードスロットが設けられている
ことを特徴とするデジタルカメラ。
【請求項５】
請求項４に記載のデジタルカメラであって、
前記制御柄部にさらにＵＳＢポートが設けられている
ことを特徴とするデジタルカメラ。
【請求項６】
請求項１に記載のデジタルカメラであって、
前記頂端棒部材と前記撮像ユニットとはヒンジを通じて連結されている
ことを特徴とするデジタルカメラ。
【請求項７】
請求項１に記載のデジタルカメラであって、
前記デジタルカメラはさらにマイクを含み、前記マイクは前記撮像ユニットに設置されている
ことを特徴とするデジタルカメラ。
【発明の詳細な説明】
【技術分野】
【０００１】
本発明は、デジタルカメラに関し、具体的には伸縮式デジタルカメラに関する。
【背景技術】
【０００２】
従来のデジタルカメラのレンズは一般的にカメラ本体に固定され、例えばインタビュー、自分撮り等の特殊な場面で使用するには非常に不便である。例えば自分撮りの場合は、三脚等の補助設備を用いるか他人に撮ってもらうことになり、使用者にとって様々な面で不便である。
【０００３】
そこで、自分撮りやインタビュー等の場面で便利に用いられるデジタルカメラの提供が望まれている。
【発明の概要】
【発明が解決しようとする課題】
【０００４】
本発明は、従来技術における上記問題に対して、伸縮式デジタルカメラを提供して、従来のデジタルカメラがインタビューや自分撮り等の特殊な場面で使用するには非常に不便であるという問題を克服することを解決しようとする課題とする。
【課題を解決するための手段】
【０００５】
本発明がその技術的課題を解決するために用いる技術方案は、レンズを含む撮像ユニットと、制御ユニットと、を含む伸縮式デジタルカメラであって、前記デジタルカメラは、さらに、一端が前記制御ユニット内に作動自在に設置され、他端が前記撮像ユニットと回動自在に連結されている伸縮棒を含む。
【０００６】
好ましくは、前記制御ユニットは制御柄部及び表示器を含み、前記表示器と前記制御柄部は回動自在に連結されている。
【０００７】
好ましくは、前記制御柄部に球継手が設けられ、前記表示器は前記球継手の回動を通じて前記制御柄部と連結されている。
【０００８】
好ましくは、前記制御柄部に若干の機能ボタンが設けられ、前記機能ボタンに少なくとも電源ボタン、シャッターボタン、ズームボタン及び機能メニューボタンが含まれている。
【０００９】
好ましくは、前記制御柄部にメモリカードスロットが設けられている。
【００１０】
好ましくは、前記制御柄部にさらにＵＳＢポートが設けられている。
【００１１】
好ましくは、前記伸縮棒は、若干の棒部材を含み、且つ、頂端棒部材が前記撮像ユニットと回動自在に連結され、底端棒部材が前記制御柄部内に作動自在に設置されている。
【００１２】
好ましくは、前記頂端棒部材の長さが前記制御柄部の長さより若干大きく、その他の棒部材の長さが前記制御柄部の長さに適応している。
【００１３】
好ましくは、前記頂端棒部材と前記撮像ユニットとはヒンジを通じて連結されている。
【００１４】
好ましくは、前記デジタルカメラはさらにマイクを含み、前記マイクは前記撮像ユニットに設置されている。
【発明の効果】
【００１５】
本発明は、伸縮棒の一端を前記制御ユニット内に作動自在に設置し、他端を前記撮像ユニットと回動自在に連結させることによって、伸縮棒を伸ばしたとき撮像ユニットを制御ユニットから一定距離引き離すことができ、前記撮像ユニットを適切な位置に回動させれば自分撮り等の操作を簡便に行うことができるという有益な効果がある。
【図面の簡単な説明】
【００１６】
【図１】本発明の伸縮式デジタルカメラの使用状態における構成を示す斜視図である。
【図２】本発明の伸縮式デジタルカメラの縮ませた状態における構成を示す斜視図である。
【図３】本発明の伸縮式デジタルカメラの伸縮棒を伸ばした状態における構成を示す斜視図である。
【発明を実施するための形態】
【００１７】
図面を参照して、本発明の好適な実施形態について詳細に説明する。
【００１８】
図１に示すように、本実施形態の伸縮式デジタルカメラは、レンズ１１を含む撮像ユニット１と、制御ユニット２とを含む。前記デジタルカメラはさらに伸縮棒３を含み、該伸縮棒３は、一端が前記制御ユニット２内に作動自在に設置され、他端が前記撮像ユニット１と回動自在に連結されている。前記伸縮式デジタルカメラは、前記伸縮棒３の一端が前記制御ユニット２内に作動自在に設置されることによって、伸縮棒３を縮ませたとき前記制御ユニット２の内部に伸縮棒３を収容することができ、余分なスペースを必要としないため、携帯に便利である。一方、前記伸縮棒３を伸ばしたときは、前記撮像ユニット１を制御ユニット２から一定距離引き離すことができ、前記撮像ユニット１を適切な位置に回動させれば自分撮り等の操作を簡便に行うことができる。
【００１９】
図１に示すように、本実施形態の伸縮式デジタルカメラは、レンズ１１を含む撮像ユニット１と、制御ユニット２とを含む。前記デジタルカメラはさらに伸縮棒３を含み、該伸縮棒３は、一端が前記制御ユニット２内に作動自在に設置され、他端が前記撮像ユニット１と回動自在に連結されている。前記伸縮式デジタルカメラは、前記伸縮棒３の一端が前記制御ユニット２内に作動自在に設置されることによって、伸縮棒３を縮ませたとき前記制御ユニット２の内部に伸縮棒３を収容することができ、余分なスペースを必要としないため、携帯に便利である。一方、前記伸縮棒３を伸ばしたときは、前記撮像ユニット１を制御ユニット２から一定距離引き離すことができ、前記撮像ユニット１を適切な位置に回動させれば自分撮り等の操作を簡便に行うことができる。
【００２０】
図１、図２に示すように、本実施形態の制御柄部２１に球継手４が設けられ、前記表示器２２は球継手４によって制御柄部と連結されている。さらに、前記制御柄部２１に若干の機能ボタン２１２が設けられ、前記機能ボタン２１２に少なくとも電源ボタン、シャッターボタン、ズームボタン及び機能メニューボタン等が含まれている。前記表示器２２を球継手４によって制御柄部２１と連結させることによって、表示器２２の表示角度を任意に調整することができ、異なる場面や異なる撮像角度における使用者の視野角への観察を満たすことができる。
【００２１】
図２に示すように、本実施形態の制御柄部２１にメモリカードスロット２１３が設けられている。該メモリカードスロット２１３は、例えばＳＤカード、ＣＦカード等のメモリカードを挿着するために用いられる。また、前記制御柄部２１にはさらにＵＳＢポート２１４が設けられている。該ＵＳＢポート２１４は、前記デジタルカメラとデータ通信及び／又は充電等の操作を行うために用いられる。前記メモリカードスロット２１３及びメモリカードスロット２１３は制御柄部の任意の位置に設置することができる。
【００２２】
図３に示すように、本実施形態の伸縮棒３は若干の棒部材を含み、且つ、頂端棒部材３１は前記撮像ユニット１と回動自在に連結され、底端棒部材３２は前記制御柄部２１内に作動自在に設置されている。前記頂端棒部材３１の長さは前記制御柄部２１の長さより若干大きく、その他の棒部材の長さは前記制御柄部２１の長さに適用している。頂端棒部材３１の長さが前記制御柄部２１の長さより若干大きいため、伸縮棒３を縮ませる際に撮像ユニット１が制御柄部２１と衝突しないことを保証することができ、また、その他の棒部材の長さが前記制御柄部２１の長さに適応しているため、その他の棒部材が制御柄部２１の内部に完全に収容されることを保証し、デジタルカメラの全体の体積を低減させる。好ましくは、前記伸縮棒３と前記撮像ユニット１とはヒンジ５によって連結されている。伸縮棒３の各棒部材が互いに回動できるため、伸縮棒３と前記撮像ユニット１とがヒンジ５によって連結されていることによって、撮像ユニット１について任意視野角の調整を実現することができる。また、前記デジタルカメラはさらにマイク６を含み、該マイク６は前記撮像ユニット１に設置されている。前記マイク６は、該伸縮式デジタルカメラを用いて撮像をするとき、音声の録音に用いられる。なお、音声を録音する機能を実現するために、前記マイク６は制御柄部２１に設けられてもよい。
【００２３】
以上の実施形態は、本発明の技術法案を説明するために用いられるに過ぎず、それを限定するものではないと解されるべきである。当業者は上記実施形態に記載されている技術法案に対して修正することができ、又はそのうちの一部の技術的特徴を同等変更することができる。そして、このような修正及び変更も、すべて本発明の特許請求の範囲の保護範囲に含まれる。
【図１】
0006503467.tif 000002
【図２】
0006503467.tif 000003
【図３】
0006503467.tif 000004